(57)【要約】【課題】所定のシール性を確保し、両半割体、及び両半割体とハウジングとの間でガタが発生するのを防止する。【解決手段】ハウジング２０には、一対の半割体が取り付けられる。両半割体は、互いに離間する方向で係止されて閉じ状態に保持される相手ロック部を有するとともに、ハウジング２０に係止されて固定されるハウジングロック部７１を有し、かつその内部にハウジング２０から引き出された電線９０を収容可能な収容部が形成されている。両半割体は、閉じ状態にあるときに、ゴム栓５０をキャビティ３０への挿入方向に押圧するとともに、ゴム栓５０の弾発力を受けて互いに離間する方向に押圧される内面を有している。【選択図】図１
2012134095.tif 000002
【特許請求の範囲】
【請求項１】
端子金具を収容可能なキャビティを有するハウジングと、
前記ハウジングの前記キャビティ内に挿入され、前記端子金具に接続された電線の外周面に密着されるとともに、前記キャビティの内周面に密着されるゴム栓と、
前記ハウジングに取り付けられる一対の半割体とを備え、
前記両半割体は、互いに離間する方向で係止されて閉じ状態に保持される相手ロック部を有するとともに、前記ハウジングに係止されて固定されるハウジングロック部を有し、かつその内部に前記ハウジングから引き出された前記電線を収容可能な収容部が形成され、さらに、
前記両半割体は、前記閉じ状態にあるときに、前記ゴム栓を前記キャビティへの挿入方向に圧潰するとともに、このゴム栓の弾発力を受けて互いに離間する方向に押圧される内面を有していることを特徴とする防水コネクタ。
【請求項２】
前記ゴム栓の一部が、前記ハウジングの前記キャビティから外部に突出して配置されている請求項１記載の防水コネクタ。
【請求項３】
前記両半割体の前記内面が、前記ゴム栓の前記キャビティへの挿入方向に対して傾斜する斜面とされている請求項１又は２記載の防水コネクタ。
【請求項４】
前記両半割体が閉じ状態にある場合に、前記両半割体間には、前記電線がその遊動を規制された状態に配置されていることを特徴とする請求項１ないし３のいずれか１項記載の防水コネクタ。
【発明の詳細な説明】
【技術分野】
【０００１】
本発明は、防水コネクタに関する。
【背景技術】
【０００２】
特許文献１に記載のコネクタは、端子金具を収容可能なキャビティを有するハウジングと、ハウジングの後端部に取り付けられる一対の半割体とを備えている。両半割体は、互いに離間する方向で係止されて閉じ状態に保持される相手ロック部を有するとともに、ハウジングに係止されて固定されるハウジングロック部を有している。また、両半割体の内部には、ハウジングから引き出された電線を収容可能な収容部が形成されている。電線は、ハウジングの直後方でほぼ直角に屈曲されている。このため、両半割体は、電線の配索方向に沿ったほぼＬ字状の形態になっている。
【先行技術文献】
【特許文献】
【０００３】
【特許文献１】特開２００６−２４４７６６号公報
【発明の概要】
【発明が解決しようとする課題】
【０００４】
ところで、ハウジングのキャビティ内には、端子金具とともにゴム栓が挿入されることがある。ゴム栓は、端子金具に接続された電線の外周面に密着されるとともに、キャビティの内周面に密着される。しかし、上記の場合、ゴム栓が電線の屈曲方向に弾性変形されるため、ゴム栓と電線との間、及びゴム栓とハウジングとの間で隙間が形成され、所定のシール性を確保できないおそれがある。
また、相互の相手ロック部間には、相手ロック部の弾性変位に起因する隙間が生成されるため、コネクタが振動環境下に置かれると、両半割体間でガタが生じることが懸念される。
【０００５】
本発明は上記のような事情に基づいて完成されたものであって、所定のシール性を確保するとともに、両半割体間でガタが生じるのを防止することを目的とする。
【課題を解決するための手段】
【０００６】
上記の目的を達成するための手段として、請求項１の発明は、端子金具を収容可能なキャビティを有するハウジングと、前記ハウジングの前記キャビティ内に挿入され、前記端子金具に接続された電線の外周面に密着されるとともに、前記キャビティの内周面に密着されるゴム栓と、前記ハウジングに取り付けられる一対の半割体とを備え、前記両半割体は、互いに離間する方向で係止されて閉じ状態に保持される相手ロック部を有するとともに、前記ハウジングに係止されて固定されるハウジングロック部を有し、かつその内部に前記ハウジングから引き出された前記電線を収容可能な収容部が形成され、さらに、前記両半割体は、前記閉じ状態にあるときに、前記ゴム栓を前記キャビティへの挿入方向に圧潰するとともに、このゴム栓の弾発力を受けて互いに離間する方向に押圧される内面を有しているところに特徴を有する。
【０００７】
請求項２の発明は、請求項１に記載のものにおいて、前記ゴム栓の一部が、前記ハウジングの前記キャビティから外部に突出して配置されているところに特徴を有する。
【０００８】
請求項３の発明は、請求項１又は２に記載のものにおいて、前記両半割体の前記内面が、前記ゴム栓の前記キャビティへの挿入方向に対して傾斜する斜面とされているところに特徴を有する。
【０００９】
請求項４の発明は、請求項１ないし３のいずれか１項に記載のものにおいて、前記両半割体が閉じ状態にある場合に、前記両半割体間には、前記電線がその遊動を規制された状態に配置されているところに特徴を有する。
【発明の効果】
【００１０】
＜請求項１の発明＞
両半割体が閉じ状態にあるときに、両半割体の内面によってゴム栓がキャビティへの挿入方向に圧潰されるため、ゴム栓が電線の外周面及びキャビティの内周面に緊密に密着される。その結果、ゴム栓による所定のシール性が確保される。
【００１１】
また、両半割体が閉じ状態にあるときに、ゴム栓の弾発力を受けて両半割体の内面が互いに離間する方向に押圧されるため、相手ロック部間の係止強度が高められ、両半割体間でガタが生じるのが防止される。
【００１２】
＜請求項２の発明＞
ゴム栓の一部がハウジングのキャビティから外部に突出して配置されているため、両半割体を格別複雑な形状にしなくても、両半割体とゴム栓との係り代を確保できる。
【００１３】
＜請求項３の発明＞
両半割体の内面がゴム栓のキャビティへの挿入方向に対して傾斜する斜面とされているため、ゴム栓を挿入方向に圧潰する面と、ゴム栓によって互いに離間する方向に押圧される面とが、この斜面で共用される。その結果、両半割体の内面形状が簡素化される。
【００１４】
＜請求項４の発明＞
両半割体が閉じ状態にある場合に、両半割体間には電線がその遊動を規制された状態に配置されるため、両半割体間で電線がガタ付くのが防止される。
【図面の簡単な説明】
【００１５】
【図１】本発明の実施形態１に係る防水コネクタの側方から視た断面図である。
【図２】防水コネクタの上方から視た断面図である。
【図３】防水コネクタの平面図である。
【図４】図３のＸ−Ｘ断面図である。
【図５】防水コネクタの側面図である。
【図６】図５のＹ−Ｙ断面図である。
【図７】防水コネクタの斜視図である。
【図８】第１半割体の平面図である。
【図９】第１半割体の背面図である。
【図１０】第２半割体の底面図である。
【図１１】第２半割体の背面図である。
【図１２】端子金具及びゴム栓の側面図である。
【図１３】本発明の実施形態２に係る防水コネクタの側方から視た要部拡大断面図である。
【発明を実施するための形態】
【００１６】
＜実施形態１＞
本発明の実施形態１を図１ないし図１２によって説明する。本実施形態に係る防水コネクタ１０は、ハウジング２０、端子金具４０、ゴム栓５０、及びカバー６０を備えて構成される。ハウジング２０は、図示しない相手側ハウジングと嵌合可能とされている。なお、以下の説明において前後方向については、相手側ハウジングへの嵌合面側を前方とする。
【００１７】
ハウジング２０は合成樹脂製であって、図１に示すように、扁平ブロック状のハウジング本体２１と、ハウジング本体２１の周りを取り囲む嵌合筒部２２とを有している。ハウジング本体２１と嵌合筒部２２との間には、相手側ハウジングが嵌合される嵌合空間２３が前方に開口して形成されている。ハウジング本体２１の外周面には、環状のシールリング２４が嵌着されている。嵌合空間２３内に前方から相手側ハウジングが嵌合されると、相手側ハウジングの内周面とハウジング本体２１の外周面とにシールリング２４が弾性的に密着し、これによって両ハウジング間が液密にシールされる。
【００１８】
ハウジング本体２１の上面には、撓み可能なロックアーム２５が前方へ片持ち状に突出して形成されている。ロックアーム２５は相手側ハウジングを弾性的に係止して、両ハウジングを嵌合状態に保持する役割をはたす。嵌合筒部２２の上壁には、切欠部２６が開放して形成されている。ロックアーム２５は切欠部２６を通してその解除操作を行うことが可能とされている。
【００１９】
ハウジング本体２１の後端部には、図２及び図４に示すように、カバー６０が取り付けられてこれに覆われるカバー装着部２７が形成されている。カバー装着部２７の幅方向両側面には、上下方向（高さ方向）に延びる一対の係止溝２８が形成されている。両係止溝２８の溝面には、段付き状のロック受け部２９が凹み形成されている。ロック受け部２９には、後述するハウジングロック部７１が弾性的に嵌り込むようになっている。
【００２０】
ハウジング本体２１の内部には、複数のキャビティ３０が横一列に形成されている。ハウジング本体２１のキャビティ３０の内面には、撓み可能なランス３１が前方へ片持ち状に突出して形成されている。そして、ハウジング本体２１のキャビティ３０内には後方から端子金具４０が挿入され、正規挿入された端子金具４０はランス３１によって弾性的に抜け止めされるようになっている。
【００２１】
端子金具４０は導電性の金属板を曲げ加工等して一体に成形され、図１２に示すように、ほぼ角筒状の端子本体４１と、端子本体４１の後方に連なるバレル部４２とからなる。端子本体４１内には図示しない弾性接触片が形成されている。ハウジング２０が相手側ハウジングと嵌合されると、相手側ハウジングに装着された相手側端子金具の雄タブが端子本体４１内に挿入されて弾性接触片と弾性的に接触し、これによって端子金具４０が相手側端子金具と電気的に接続されるようになっている。
【００２２】
バレル部４２は、ワイヤバレル４３とその後方に位置するインシュレーションバレル４４とからなる。ワイヤバレル４３は、電線９０の端末部において露出する芯線９１にかしめられる。インシュレーションバレル４４は、電線９０の端末部における被覆９２に嵌着されたゴム栓５０にかしめられる。
【００２３】
ゴム栓５０は、前後方向に細長い円筒状の形態とされ、その前端部にインシュレーションバレル４４によって圧着される圧着部５１が形成されている。ゴム栓５０の外周面には、圧着部５１より後方に、複数条のリップ５２が前後方向に並んで形成されている。ゴム栓５０は、電線９０の被覆９２の外周面に密着するとともに、ハウジング本体２１のキャビティ３０の内周面に密着し、ハウジング本体２１内を液密にシールする役割をはたす。各リップ５２は、ハウジング本体２１のキャビティ３０の内周面に弾性的に圧潰される。また、端子金具４０がキャビティ３０内に正規挿入された状態で、ゴム栓５０の後端部は、ハウジング本体２１の後面から後方に突出して配置される。
【００２４】
続いてカバー６０について説明すると、カバー６０は合成樹脂製であって、図７に示すように、互いに合体可能な上下一対の半割体（以下、第１、第２半割体６１、８１という）からなる。カバー６０の内部には、第１、第２半割体６１、８１が合体された状態で、ハウジング２０の後面から引き出された各電線９０が収容される収容部６３Ａが形成されている（図１及び図２を参照）。
【００２５】
第１半割体６１は、上方に開放された浅底のボックス状をなしている。具体的には第１半割体６１は、図８及び図９に示すように、前端へ行くに従って幅方向両側に拡開する第１本体部６２と、第１本体部６２の後端に連なってそこから後方に延びる断面ほぼ半円弧状の延出部６３とからなる。各電線９０は、第１本体部６２から延出部６３へと配索され、延出部６３では、蛇腹状のコルゲートチューブ６４内に一塊りにまとめられて後方へ導出されるようになっている。第１本体部６２の上面には、前後方向及び幅方向に延びて互いに交差する第１リブ６５が形成され、延出部６３の上面には、周方向に延びる第１リブ６５が前後に並んで形成されている。各第１リブ６５上には各電線９０が支持可能とされている。また、第１本体部６２の周壁の上端は、第２半割体８１の周壁の下端に突き合わされる。
【００２６】
第１本体部６２の周壁のうち幅方向両側の側壁は、延出部６３の前端から前方へ向けて拡開する方向に配置される一対の第１後方側壁６６と、両第１後方側壁６６の前端から前後方向にほぼ沿って配置される一対の第１前方側壁６７とからなる。両第１前方側壁６７及び両第１後方側壁６６の各外面には、それぞれ、前後一対ずつの第１相手ロック部６８が突出して形成されている。第１相手ロック部６８は、第２半割体８１の第２相手ロック部７８（後述する）に係止可能とされている。第１相手ロック部６８の下面は、幅方向に沿った係止面６９とされ、第１相手ロック部６８の上面は、下方に拡開するテーパ状の案内面７０とされている。
【００２７】
両第１前方側壁６７の内面の前端部には、ハウジング本体２１の係止溝２８に側方から弾性的に嵌り、かつロック受け部２９に上方から弾性的に掛け止められるハウジングロック部７１が突出して形成されている。
【００２８】
第１本体部６２の周壁のうちの前壁となる第１前壁７２は、両第１前方側壁６７の内面の後端部に連なりつつ幅方向に沿って配置されている。第１前壁７２の上端には、ほぼ半円孤状の第１凹溝７３が幅方向に複数並んで形成されている。各第１凹溝７３は、第１半割体６１がハウジング本体２１に取り付けられた状態で、各キャビティ３０と対向する位置に配置されている。そして、各第１凹溝７３は、上方に開放されるとともに、前後方向に延出する形態とされている。各第１凹溝７３のほぼ後半部は、電線９０に当接可能な第１電線当接溝７４とされ、各第１凹溝７３のほぼ前半部は、ゴム栓５０の後端部に当接可能な第１ゴム栓当接溝７５とされている。
【００２９】
第１電線当接溝７４の内面は、電線９０の外周面に沿った断面円弧状をなし、前後方向に同径で延びる形態とされている。また、第１ゴム栓当接溝７５の内面は、第１電線当接溝７４の前端から前方へ向けてテーパ状に拡開する第１拡開面７６と、第１拡開面７６の前端から第１前壁７２の前面にかけて前後方向に同径で延びる第１真直面７７とからなる。この場合に、第１半割体６１の第１拡開面７６は、ゴム栓５０を前方（キャビティ３０内への挿入方向）に押圧して圧潰させるとともに、圧潰されたゴム栓５０の弾発力を受けて側外方に押圧される面となる。
【００３０】
第２半割体８１は、図１０及び図１１に示すように、第１本体部６２、第１リブ６５、第１前方側壁６７、第１後方側壁６６、第１前壁７２、第１凹溝７３、第１電線当接溝７４、第１ゴム栓当接溝７５、第１拡開面７６、及び第１真直面７７のそれぞれ対応する形状の、第２本体部８２、第２リブ８３、第２前方側壁８４、第２後方側壁８５、第２前壁８６、第２凹溝８７、第２電線当接溝８８、第２ゴム栓当接溝８９、第２拡開面８０、及び第２真直面７９を有している。
【００３１】
両第２前方側壁８４及び両２後方側壁の各外面には、それぞれ、前後一対ずつの第２相手ロック部７８が下方に突出して形成されている。各第２相手ロック部７８は、ほぼＵ字状をなし、その中央部に係止孔７８Ａが貫通して形成されている。
【００３２】
図６に示すように、第２半割体８１の周壁の下端が第１半割体６１の周壁の上端に突き合わされると、各第２相手ロック部７８の係止孔７８Ａに各第１相手ロック部６８が弾性的に嵌り、各第１、第２相手ロック部６８、７８が互いに係止されて、第１、第２半割体６１、８１が閉じ状態に保持される。この場合、第１、第２半割体６１、８１が互いに離れる向きに引っ張られると、第１相手ロック部６８の係止面６９に第２相手ロック部７８の先端部が緊密に掛け止められ、もって第１、第２半割体６１、８１の閉じ状態が維持されるようになっている。
【００３３】
また、第１、第２半割体６１、８１が閉じ状態になると、第１、第２凹溝７３、８７が互いに合致して円筒状に連続し、これによってゴム栓５０の後端部が第１、第２ゴム栓当接溝７５、８９間に挟持させられ、かつゴム栓５０の後端から引き出された電線９０が第１、第２電線当接溝７４、８８間に挟持させられるようになっている。
【００３４】
以上が本実施形態に係る防水コネクタ１０の構造であり、続いて、防水コネクタ１０の作用効果を説明する。
第２相手ロック部７８が第１相手ロック部６８を弾性的に係止することにより、第１、第２半割体６１、８１が閉じ状態に保持される。また、第１半割体６１のハウジングロック部７１がハウジング本体２１のロック受け部２９を弾性的に係止することにより、第１、第２半割体６１、８１がハウジング本体２１のカバー装着部２７に装着される。
【００３５】
このとき、図１に示すように、ゴム栓５０が第１、第２凹溝７３、８７の第１、第２拡開面７６、８０によって前方へ押圧され、ゴム栓５０の後端角部が第１、第２拡開面７６、８０に沿って斜めに圧潰される。すると、ハウジングロック部７１がハウジング本体２１の係止溝２８に緊密に係止され、カバー６０がハウジング２０に強固に固定される。
【００３６】
また同時に、第１、第２凹溝７３、８７の第１、第２拡開面７６、８０には圧潰されたゴム栓５０の弾発力が付与され、第１、第２半割体６１、８１が互いに離れる向きに押圧されて、第１、第２相手ロック部６８、７８の相互の係止強度が高められる。
【００３７】
したがって、仮に、防水コネクタ１０が振動環境下に置かれても、第１、第２半割体６１、８１間でガタが生じるのが防止される。また、カバー６０がハウジング２０に対してガタ付くのも防止される。さらに、第１、第２半割体６１、８１が閉じ状態となることにより、ゴム栓５０が前方に圧潰されるため、シール性が高められる。
【００３８】
また、ゴム栓５０の後端部がハウジング２０のキャビティ３０から外部に突出して配置されているため、第１、第２半割体６１、８１を格別複雑な形状にしなくても、第１、第２半割体６１、８１とゴム栓５０との係り代を確保できる。
【００３９】
また、第１、第２半割体６１、８１の第１、第２拡開面７６、８０が前後方向に対して傾斜する斜面となる第１、第２拡開面７６、８０とされているため、ゴム栓５０を挿入方向に圧潰する面と、ゴム栓５０によって互いに離間する方向に押圧される面とが、この第１、第２拡開面７６、８０で共用される。その結果、第１、第２半割体６１、８１の内面形状が簡素化される。
【００４０】
さらに、第１、第２半割体６１、８１が閉じ状態にある場合に、第１、第２半割体６１、８１の第１、第２電線当接溝７４、８８間には電線９０がその遊動を規制された状態に配置されるため、第１、第２半割体６１、８１間で電線９０がガタ付くのが防止される。
【００４１】
＜実施形態２＞
図１３は、本発明の実施形態２に係る防水コネクタ１０を示す。
この防水コネクタ１０は、第１、第２半割体６１Ａ、８１Ａの第１、第２凹溝７３Ａ、８７Ａの形状が実施形態１と異なっている。なお、第１、第２凹溝７３Ａ、８７Ａの形状以外は、実施形態１と同様であるため、実施形態１と同一符号を付す。
【００４２】
第１、第２前壁７２Ａ、８６Ａの第１、第２凹溝７３Ａ、８７Ａは、第１、第２半割体６１Ａ、８１Ａが閉じ状態にあるときに、ゴム栓５０の後面に後方から当接する第１、第２後方当接面１０１、１０２を有するとともに、ゴム栓５０の後端部の外周面に径方向から当接する第１、第２径方向当接面１０３、１０４を有している。第１後方当接面１０１の下端は第１径方向当接面１０３の後端とほぼ直交して連なり、第２後方当接面１０２の上端は第２径方向当接面１０４の後端とほぼ直交して連なっている。
【００４３】
第１、第２半割体６１Ａ、８１Ａが閉じ状態になると、第１、第２後方当接面１０１、１０２がゴム栓５０の後端面を前方に押圧して、ゴム栓５０が圧潰され、ハウジング本体２１に対するハウジングロック部７１の係止強度が高められる。また、ゴム栓５０によるシール性が高められる。さらに、ゴム栓５０が圧潰されるに伴い、ゴム栓５０の後端部の外周面が第１、第２径方向当接面１０３、１０４を径方向外方に押圧し、第１、第２相手ロック部６８、７８の相互の係止強度が高められる。
【００４４】
したがって、実施形態２によれば、実施形態１と同様、第１、第２半割体６１Ａ、８１Ａ間でガタが生じるのが防止されるとともに、カバー６０Ａがハウジング２０に対してガタ付くのも防止される。
【００４５】
＜他の実施形態＞
本発明は上記記述及び図面によって説明した実施形態に限定されるものではなく、例えば次のような実施形態も本発明の技術的範囲に含まれる。
（１）第１、第２半割体の内部には、電線がＬ字状に屈曲して収容されるものであってもよい。
（２）第１、第２半割体が、幅方向から合体して閉じ状態となるものであってもよい。
（３）実施形態１では、第１、第２半割体の第１、第２拡開面が曲面状に形成されていてもよい。
【符号の説明】
【００４６】
１０…防水コネクタ
２０…ハウジング
３０…キャビティ
４０…端子金具
５０…ゴム栓
６０…カバー
６１…第１半割体
７１…ハウジングロック部
７６…第１拡開面（斜面）
８０…第２拡開面（斜面）
８１…第２半割体
９０…電線
【図１】
2012134095.tif 000003
【図２】
2012134095.tif 000004
【図３】
2012134095.tif 000005
【図４】
2012134095.tif 000006
【図５】
2012134095.tif 000007
【図６】
2012134095.tif 000008
【図７】
2012134095.tif 000009
【図８】
2012134095.tif 000010
【図９】
2012134095.tif 000011
【図１０】
2012134095.tif 000012
【図１１】
2012134095.tif 000013
【図１２】
2012134095.tif 000014
【図１３】
2012134095.tif 000015